(57)【要約】      （修正有）【課題】溝切体を強制的に回転させる構成として崩れにくい溝壁を確実に切断形成することができ、更に、略一定の深さの溝切を行えると共に、溝の左右壁上端部を上側程溝開口幅が広がる面取形状に押圧規制してこの左右壁の上端部も崩れにくいしっかりとした溝を形成することができる溝掘装置を提供すること。【解決手段】走行体に設けられている昇降取付部に取付基体を取り付けできるように構成し、この取付基体に略円盤状の溝切体を動力によって強制回転するように設け、前記各溝切体の夫々の外側面に、溝切体よりも径小な円形状部を有する接地部を側方へ向けて突設してこの接地部の円形状部の外周面が土壌上面に接地し得るように構成し、少なくともこの接地部の基部に、この接地部が土壌上面に接地した際、溝切体で溝切した溝の左右壁上端部を押圧することでこの左右壁の上端部に、上側程溝開口幅が広がる面取部が形成されるように規制する溝縁押圧部を設ける。【選択図】図６
2005179967.tif 000002
【特許請求の範囲】
【請求項１】
走行体に取り付けられ、土壌に溝を掘ることのできる溝掘装置であって、前記走行体に操作によって昇降駆動するように設けられている昇降取付部に取付基体を取り付けできるように構成し、この取付基体に一対の略円盤状の溝切体を回転可能に設けると共に、この溝切体は、動力によって強制回転するように構成し、この取付基体の、前記溝切体より前記走行体の進行方向後側にすき体を設けて、走行体の走行により一対の溝切体が土壌上面に溝切した後この溝内の土が前記すき体により掘削排出されるように構成し、前記各溝切体の夫々の外側に、溝切体よりも径小な円形状部を有する接地部を側方へ向けて突設してこの接地部の円形状部の外周面が土壌上面に接地し得るように構成し、少なくともこの接地部の基部に、この接地部が土壌上面に接地した際、溝切体で溝切した溝の左右壁上端部を押圧することでこの左右壁の上端部に角縁部が形成されず、上側程溝開口幅が広がる面取部が形成されるように規制する溝縁押圧部を設けたことを特徴とする溝掘装置。
【請求項２】
前記溝切体は、前記走行体の動力源を動力として強制回転する構成としたことを特徴とする請求項１記載の溝掘装置。
【請求項３】
前記接地部は、溝切体より径小で且つ一端側が末広がる円筒部材若しくは円柱部材を採用して構成し、この円筒部材若しくは円柱部材の末広がり形状の一端部を前記溝切体の外側面に付設して、この円筒部材若しくは円柱部材の外周面を前記円形状部とすると共に、末広がり部の外周面を前記溝縁押圧部としたことを特徴とする請求項１，２のいずれか１項に記載の溝掘装置。
【発明の詳細な説明】
【技術分野】
【０００１】
本発明は、例えば、水田などの土壌に水はけ用の溝を形成する溝掘装置に関するものである。
【背景技術】
【０００２】
従来、この種の溝掘装置としては、トラクターなどの走行体に機枠を設け、この機枠の前側に円盤状の溝切刃をフリー回転可能に対向配置し、機枠の後側に溝掘用のすき体を設けて、走行体の走行によって前記溝切刃が水田土壌に溝切した後、この切断した溝中央の土をすき体が溝掘して溝側方へ排出するように構成されたものがある（例えば、特許文献１参照。）。
【０００３】
【特許文献１】実公昭５９−１０２１４号公報
【発明の開示】
【発明が解決しようとする課題】
【０００４】
ところで、例えば、稲刈取後の水田に溝を形成する場合、この水田の土壌には藁等が散在しているため、溝切刃がフリーで回転する上記従来の溝掘装置においては、この藁等によって溝切刃の溝切が阻害される上、藁等が溝切刃のところどころに引っ掛かったり絡まったりして回転の抵抗となり、溝切刃が停止してしまうこともある。
【０００５】
そして、この回転抵抗があったり、停止してしまったりした溝切刃を走行体の走行によって引きずりながら土壌に溝を切ると、溝の対向左右壁がしっかりと切断形成されず、また同時に溝切体に巻き付いた藁などがこの溝の壁に傷を付けてしまうこともあって、できあがる溝の対向左右壁はぼろぼろで崩れ易いものとなり、この左右壁から溝が崩壊してしまい易かった。
【０００６】
本発明は、このような問題点を見い出し、これを解決するためのもので、溝切体を強制的に回転させる構成として崩れにくい溝壁を確実に切断形成することができ、更に、略一定の深さの溝切を行えると共に、溝の左右壁上端部を上側程溝開口幅が広がる面取形状に押圧規制してこの左右壁の上端部も崩れにくいしっかりとした溝を形成することができる画期的な溝掘装置を提供するものである。
【課題を解決するための手段】
【０００７】
添付図面を参照して本発明の要旨を説明する。
【０００８】
走行体１に取り付けられ、土壌２に溝３を掘ることのできる溝掘装置であって、前記走行体１に操作によって昇降駆動するように設けられている昇降取付部４に取付基体５を取り付けできるように構成し、この取付基体５に一対の略円盤状の溝切体６を回転可能に設けると共に、この溝切体６は、動力によって強制回転するように構成し、この取付基体５の、前記溝切体６より前記走行体１の進行方向後側にすき体７を設けて、走行体１の走行により一対の溝切体６が土壌２上面に溝切した後この溝３内の土が前記すき体７により掘削排出されるように構成し、前記各溝切体６の夫々の外側に、溝切体６よりも径小な円形状部80Ａを有する接地部８を側方へ向けて突設してこの接地部８の円形状部80Ａの外周面が土壌２上面に接地し得るように構成し、少なくともこの接地部８の基部に、この接地部８が土壌２上面に接地した際、溝切体６で溝切した溝３の左右壁３Ａ上端部を押圧することでこの左右壁３Ａの上端部に角縁部が形成されず、上側程溝３開口幅が広がる面取部３Ｂが形成されるように規制する溝縁押圧部80Ｂを設けたことを特徴とする溝掘装置に係るものである。
【０００９】
また、前記溝切体６は、前記走行体１の動力源を動力として強制回転する構成としたことを特徴とする請求項１記載の溝掘装置に係るものである。
【００１０】
また、前記接地部８は、溝切体６より径小で且つ一端側が末広がる円筒部材80若しくは円柱部材を採用して構成し、この円筒部材80若しくは円柱部材の末広がり形状の一端部を前記溝切体６の外側面に付設して、この円筒部材80若しくは円柱部材の外周面を前記円形状部80Ａとすると共に、末広がり部の外周面を前記溝縁押圧部80Ｂとしたことを特徴とする請求項１，２のいずれか１項に記載の溝掘装置に係るものである。
【発明の効果】
【００１１】
本発明は上述のように構成したから、略一定の深さの溝を形成することができ、しかも、強制回転する溝切体によって崩れにくい溝の左右壁を切断形成することができる上に、溝の左右壁上端部を上側程溝開口幅が広がる面取形状に押圧規制してこの左右壁の上端部も崩れにくいしっかりとした溝を形成することができる極めて実用性に秀れた画期的な溝掘装置となる。
【００１２】
また、請求項２記載の発明においては、溝切体の強制回転構造を簡易に設計実現可能となる一層実用性に秀れた構成の溝掘装置となる。
【００１３】
また、請求項３記載の発明においては、前記作用・効果を確実に発揮する接地部を簡易に設計実現可能となる一層実用性に秀れた構成の溝切装置となる。
【発明を実施するための最良の形態】
【００１４】
好適と考える本発明の実施形態（発明をどのように実施するか）を、図面に基づいて本発明の作用を示して簡単に説明する。
【００１５】
例えば、トラクターなどの走行体１の昇降取付部４に取付基体５を取り付けると、走行体１を走行しながら例えば水田の土壌２などに溝３を掘ることができる。
【００１６】
具体的には、例えば、走行体１の走行の支障とならないように、昇降取付部４を上昇操作して本溝掘装置を上昇させ、走行体１を目的の土壌２上（例えば水田内）に移動する。
【００１７】
次いで、昇降取付部４を下降操作することで本溝掘装置を下降させ、溝切体６並びにすき体７を土壌２に接地させる。
【００１８】
この際、接地部８の円形状部80Ａが土壌２上面に接地することで土壌２に対し本溝掘装置が位置決めされるため、溝切体６の土壌２に対する沈み込み度合い（切り込み度合い）の微調整は不要となる。
【００１９】
走行体１を土壌２上で前進あるいは後退させると、一対の溝切体６により土壌２が切断され、この溝切体６より走行体１の進行方向後側に存するすき体７が、切断跡の中央に存する土を掘削排出して、土壌２に溝３が形成される。
【００２０】
この際、溝切体６よりも径小な接地部８の円形状部80Ａが土壌２上面に接地して土壌２に対し本溝掘装置が位置決めされることにより、溝切体６の土壌２への切り込み深さも決まるため、この溝切体６が土壌２上面に対して略一定の深さの切断跡（溝３の左右壁３Ａ）を形成することになり、これにより略一定の深さの溝３を形成することが可能となる。
【００２１】
また、動力によって強制回転する溝切体６は、土壌２上の藁屑等が巻き付いても回転停止することはなく、確実に回転しながら土壌２を切断するため、しっかりと切断されて崩れにくい溝３の左右壁３Ａが形成されることになる。
【００２２】
また、この際、溝切体６が土壌２に溝３の対向左右壁３Ａを形成すると同時に、少なくとも接地部８の基部の溝縁押圧部80Ｂが溝３の左右壁３Ａ上端部を押圧し、これによりこの左右壁３Ａの上端部には角縁部が形成されず、この上端部を上側程溝３開口幅の広がる面取部３Ｂが形成されるように規制することになる。即ち、溝３の左右壁３Ａの上端部が溝縁押圧部80Ｂによって押し固められて強固となる上、上側程溝３開口幅の広がる面取部３Ｂに押圧規制されることで、時間が経過しても左右壁３Ａが内側にせり出して溝３開口幅を狭めにくいしっかりとした溝３が形成されることになる。
【００２３】
よって、略一定の深さの溝３を形成でき、しかも、確実な切断がなされて崩れにくい左右壁３Ａを形成できる上に、溝縁押圧部80Ｂの押圧規制により左右壁３Ａの上端部も崩れにくい非常にしっかりとした溝３を形成することができる極めて実用性に秀れた画期的な溝掘装置となる。
【００２４】
また、例えば、前記溝切体６は、前記走行体１の動力源を動力として強制回転する構成とすれば、敢えて別の動力源を用意する必要がないため構造が複雑化することなく、しかも、既存のトラクターを走行体１として採用すれば、トラクターの昇降取付部４にはその動力源を動力とする動力部９が備えられているものが多いので、この構成は簡易に設計実現可能となる。
【００２５】
また、例えば、前記接地部８は、溝切体６より径小で且つ一端側が末広がる形状の円筒部材80若しくは円柱部材を採用して構成し、この円筒部材80若しくは円柱部材の末広がり形状の一端部を前記溝切体６の外側面に付設して、この円筒部材80若しくは円柱部材の外周面を前記円形状部80Ａとし、この接地部８の末広がり部の外周面を前記溝縁押圧部80Ｂとすれば、単に、溝切体６の外側面に上記形状の円筒部材80若しくは円柱部材を付設するだけで前記作用・効果を確実に発揮する接地部８を構成できるので、この構成は簡易に設計実現可能で量産性に富み安価に提供可能となり、しかも、既存の溝掘装置の溝切体６に対して接地部８を後付することも可能な構成であるため、従来品にも本発明を適用可能となり、一層実用的となる。
【実施例】
【００２６】
本発明の具体的な実施例について図面に基づいて説明する。
【００２７】
本実施例の取付基体５は、本体枠部５Ａと、取付枠部５Ｂとから成る構成としている。
【００２８】
本体枠部５Ａは、図２に示すように、平面視略コ字状の枠部材によって構成され、このコ字状の本体枠部５Ａの下部に一対の略円盤状の溝切体６（溝切刃）を所定間隔を置いて設けると共に、この本体枠部５Ａの基枠部の、遊離両端が突出する側とは反対側に後述する走行体１の昇降取付部４に取り付けするための取付部50を突設している。
【００２９】
また、この本体枠部５Ａの遊離両端は、夫々が方形枠状に形成されてこの夫々の方形枠内にウエイト15を掛止装着し得るように構成し（図１参照）、このウエイト15の装着数を適宜調整することで溝切体６及び後述するすき体７を土壌２より浮かせずに良好な溝切を行えるようにしている。
【００３０】
取付枠部５Ｂは、図１，図２に示すように、水平方向に長さを有するストレート杆の一端を下方へ湾曲フック形に屈曲形成した形状の棒状枠部材によって構成され、この取付枠部５Ｂのフック形の一端部（下端部）に削土用のすき体７を設け、他端部は前記本体枠部５Ａの遊離両端部間に配設してこの遊離両端の基端部に起伏回動自在に枢着（軸17止）している。即ち、取付枠部５Ｂは、本体枠部５Ａに対して起伏回動自在に設けている。
【００３１】
また、本体枠部５Ａに対する溝切体６の付設構造は、図２〜図４に示すように、本体枠部５Ａの下部に鉛直方向に長さを有する箱型の取付部材10を垂設状態に付設し、この取付部材10の下部に駆動軸10Ａを水平に軸支配設して、この駆動軸10Ａの両端部に夫々略円盤状の前記溝切体６を付設している。図中符号16は溝切体６の泥よけである。
【００３２】
また、この取付部材10の上部には、後述する走行体１後部の昇降取付部４に設けられた回転動力部９に連結し得る連結部10Ｂを回転自在に突設し、この取付部材10の内部には、連結部10Ｂを介して前記回転動力部９の回転動力を前記駆動軸10Ａに伝達する駆動機構部11を設けている。
【００３３】
駆動機構部11は、図４に示すように、取付部材10内に存する前記駆動軸10Ａの略中間部に第一スプロケット11Ａを設ける（固着する）と共に、この第一スプロケット11Ａとチェーン11Ｄを介して連動連結する第二スプロケット11Ｂを取付部材10の上部内部に軸支し、また、この第二スプロケット11Ｂには、連動回転する第一ギヤ11Ｃを一体的に設けて（固着して）いる。即ち、第二スプロケット11Ｂ・第一ギヤ11Ｃが回転すると、チェーン11Ｄ，第一スプロケット11Ａを介して駆動軸10Ａが連動回転する構成としている。
【００３４】
また、取付部材10内の上部に存する前記連結部10Ｂの基部に、連動回転する第二ギヤ11Ｅを一体的に設け（固着し）、この第二ギヤ11Ｅを第一ギヤ11Ｃと噛合させて、連結部10Ｂの回転作動に連動して第二ギヤ11Ｅを介し第一ギヤ11Ｃが回転する構成としている。
【００３５】
従って、動力部９と連結部10Ｂとを連結し、動力部９の回転動力によって連結部10Ｂが回転すると、この動力が前述した駆動機構部11を介して溝切体６に伝達することになり、溝切体６が走行体１の動力源によって強制回転する構成としている。また、走行体１の回転動力部９、即ち、走行体の動力源（エンジン）を溝切体６の動力とするので、走行体１の走行速度に応じて溝切体６の回転速度も変化することになり、これにより走行体１の走行速度に応じた最適な回転速度での溝切が行われるように設定構成可能となる。
【００３６】
また、本実施例では、走行体１走行時の車輪の回転方向と同方向に溝切体６が回転するように駆動機構部11を構成して、スムーズに溝切が行われるようにしている。
【００３７】
また、取付枠部５Ｂの一端部（下端部）に設ける前記すき体７は、前記溝切体６側の先端部が傾斜下方側となるように斜設して、このすき体７の先端部が土壌２に切り込む構成としている。図中符号12はすき体７を支持する支持板である。
【００３８】
また、このすき体７は、図１，図２に示すように、先端部が先細る形状として土壌２に切り込み易くし、更に先端側の横幅を一対の溝切体６間の間隔と略合致する横幅に設定して、溝切体６での二本の切断跡間の土を良好に削土し得るように構成している。
【００３９】
また、このすき体７の略中程より傾斜上方側の基端側部分は、左右いずれか一側縁側を徐々に上方へ起こすようにひねり屈曲（湾曲）させ、この変形屈曲基端部を、すき体７の先端部で掘削した土をすき体７の側方（掘削した溝３の側方）へ排出する排出部７Ａに構成している。
【００４０】
また、このすき体７は、高さ並びに土壌２面への切り込み角度を調整変更自在に構成している。
【００４１】
具体的には、本体枠部５Ａに対し取付枠部５Ｂを起伏動移動することで、すき体７の高さ及び角度を調整変更し得る構成としているもので、この本体枠部５Ａに対し取付枠部５Ｂを起伏動調整する調整装置13を本体枠部５Ａと取付枠部５Ｂとに設けている。
【００４２】
調整装置13は、図１，図２に示すように、本体枠部５Ａの基枠部の上面部と、取付枠部５Ｂの他端部の上面部とに夫々支持杆13Ａ・13Ｂを立設状態に設け、この支持杆13Ａ・13Ｂ間に螺動杆13Ｃを架設状態に装着すると共に、支持杆13Ａ・13Ｂのいずれか一方に対しては螺動杆13Ｃを螺着して、この螺動杆13Ｃの端部に形成したハンドル13Ｄを正・逆方向に回動操作すると、支持杆13Ａ・13Ｂ間が広狭して取付枠部５Ｂが起伏動し、すき体７の高さ及び角度を微調整変更し得るように構成している。
【００４３】
また、ここで前記取付部50について説明すると、本実施例では、走行体１としてのトラクター１（以下、トラクター１と称す。）の昇降取付部４に取付部50を取り付けできる構成としている。
【００４４】
即ち、トラクター１の後部には、アタッチメント連結部が昇降駆動自在に設けられているが、本実施例では、このアタッチメント連結部（三点取付部）を昇降取付部４として取付部50を取り付けできるように構成している。
【００４５】
即ち、取付部50は、前記三点昇降取付部４の下方の二点に連結する下部連結部50Ａと、三点昇降取付部４の上部一点に連結する上部連結部50Ｂとを備えた構成としている。
【００４６】
また、この取付部50は、本体枠部５Ａに対して起伏自在に設けられ、取付部50側と本体枠部５Ａ側とに架設連結された伸縮部材14を伸縮調整することにより、昇降取付部４に対する取付基体５の取付角度を適正に調整し得るように構成している。
【００４７】
本実施例では、前記各溝切体６の夫々の外側に、溝切体６よりも径小な円形状部80Ａを有する接地部８を側方へ向けて突設してこの接地部８の円形状部80Ａの外周面が土壌２上面に接地し得るように構成している。
【００４８】
具体的には、前記接地部８は、少なくとも溝切体６より径小な部位を有し、且つ一端側が末広がる形状の円筒部材80若しくは円柱部材を採用して構成し、この円筒部材80若しくは円柱部材の末広がり形状の一端部を前記溝切体６の外側面に付設して、この円筒部材80若しくは円柱部材の外周面を前記円形状部80Ａとすると共に、円筒部材80若しくは円柱部材の基部側の末広がり部の外周面を前記溝縁押圧部80Ｂとしている。即ち、円形状部80Ａの基部側の一部分（末広がり部分）が、溝縁押圧部80Ｂとして機能する構成としている。
【００４９】
更に詳しくは、円筒部材80を採用して接地部８を構成し、この円筒部材80の末広がり形状の一端部を前記各溝切体６の夫々の外側面に付設することで、円筒部材80の他端部が各溝切体６の外方（左右外方）に突設するように設け、この円筒部材80の適宜下方に位置した外周面部（円形状部80Ａ）が土壌２上面に接地する構成としている。
【００５０】
また、この円筒部材80は、この円筒部材80の中心と溝切体６の中心とが側方より見て同心となるように配置して溝切体６の外側面に付設し、これにより円形状部80Ａが土壌２上面に接地して本溝掘装置が走行する際に、スムーズに走行できるようにしている。即ち、円筒部材80（の円形状部80Ａ）が実質的に本溝掘装置の車輪の役割を果たし、この円形状部80Ａが土壌２上面に接地することで本溝掘装置が土壌２に対して位置決めされる（溝切体６の土壌２に対する切り込み（差し込み）深さが決定される）構成としている。
【００５１】
また、この左右の円筒部材80は、接地時の接地面となる夫々の円形状部80Ａが土壌２上面に接地した際に深く沈み込み過ぎることのない接地面積を有するように、筒長並びに筒径寸法を設定構成している。
【００５２】
また、円筒部材80の円形状部80Ａが土壌２上面に接地した際に、溝切体６が十分な深さの溝３の左右壁３Ａを切り込めるようにこの円筒部材80の（溝縁押圧部80Ｂを除いた）円形状部80Ａの径寸法と、この円形状部80Ａより径大な溝切体６との径寸法とを夫々設定構成する。
【００５３】
また、前記溝縁押圧部80Ｂとしての末広がり部は、やや円筒部材80の内方へ向かって凹となる緩やかな凹湾曲面に形成している。従って、この接地部８たる円筒部材80を土壌２上面に接地して走行すると、溝切体６で切断した溝３の左右壁３Ａ上端部が同時に溝縁押圧部80Ｂによってなで押さえ付けられて、この左右壁３Ａの上端部の角縁部が面取られた緩やかな凸湾曲面（面取部３Ｂ）に規制され（形作られ）、上側程左右の開口幅が広がる溝３が形成されることになる構成としている。
【００５４】
本実施例では、溝切体６と接地部８とを別部材とし、この溝切体６に接地部８を付設する構成としたので、この構成は簡易に設計実現可能な構成であると共に、接地部８は溝切体６に対して後付することも可能であり、よって、既存の溝掘装置（の溝切体）に対して簡易に接地部８を後付して上記作用・効果を発揮する溝掘装置を構成可能となる。尚、溝切体６の外側面に本実施例の円筒部材80と略同形状の円筒部若しくは円柱部を一体成形して接地部８を構成しても良い。
【００５５】
また、本実施例では、円筒状の接地部８（円筒部材80）を採用して外周面の円形状部80Ａが土壌２上を回転走行する構成とした場合を示したが、この接地部８の構成に限られるものではなく、例えば、溝切体６の外側に、少なくとも下側外面が前記円形状部80Ａでその溝切体６側（基部側）が前記溝縁押圧部80Ｂとなる形状の接地部８を、回転不能状態にして例えば取付基体５などに固定し、この接地部８が土壌２上に接地することで上記同様の作用・効果を発揮する構成としても良いし、同様の作用・効果を発揮するその他の構成の接地部８を採用しても良い。
【００５６】
次に、本実施例の溝掘装置により、稲刈取後の水田の土壌２に溝３を形成する場合の作動を説明する。
【００５７】
トラクター１の昇降取付部４に取付部50を介して取付基体５を取り付け、昇降取付部４の動力部９と、前記取付部材10の連結部10Ｂとを連結する。
【００５８】
トラクター１の走行の支障とならないように、昇降取付部４を上昇操作して本溝切装置を上昇させ、トラクター１を水田内に乗り入れる。
【００５９】
次いで、昇降取付部４を下降操作して本溝切装置を下降させ、溝切体６，すき体７，接地部８を土壌２上面に接地させる。
【００６０】
この際、接地部８の円形状部80Ａが土壌２上面に接地することで本溝切装置の土壌２に対する高さ（溝切体６の土壌２に対する差し込み深さ）が位置決めされることになる。そのため、前記従来例の場合は、土壌上に溝掘装置を降ろす際には、土壌に対する溝切体の沈み込み度合いを見ながら、沈み過ぎていたら昇降取付部４を上昇操作したり、逆に浮いていたら例えばウエイトの数を増やしたりするなどして沈み込み度合いを微調整しなければならなかったが、本実施例の場合は、予めある程度の数のウエイト15を装着して溝切体６が土壌２に沈み込み得るようにしてあれば、円形状部80Ａが土壌２上面に接地したところで位置決めされるので、従来までのような微調整は不要となり、運転者は気兼ねなく本溝掘装置を土壌２上に降ろすことができ、それだけ操作性に秀れる。
【００６１】
そして、水田の土壌２上で走行体１を走行（前進）させると、溝切体６が動力によって強制回転し、この回転する溝切体６により土壌２が切断されて二本の切断跡が形成され、この溝切体６より走行体１の進行方向後側に存するすき体７が、この二本の切断跡の中央に存する土を掘削排出して、土壌２に溝３が形成される。
【００６２】
また、この際、円形状部80Ａが土壌２上面に接地することで、土壌２に対する溝切体６の切り込み深さが位置決めされるため、土壌２に対して略一定の深さで溝切体６が切り込むことになる。従って、溝切体６と円筒部材80との径寸法設定により、意図した深さ（水はけ作用を良好にする深さ）をもつ溝３（の左右壁３Ａ）を形成できることになる。
【００６３】
また、例えば、溝切体６の下側に位置している外縁部と、すき体７の先端部とが略同じ高さとなるように前記調整装置13によってすき体７の高さを調整しておくと、溝切体６が切り込んだ深さと略同じ深さの溝３を形成することができる。
【００６４】
従って、土壌２上面に対して深さにむらのない略一定の深さの溝３を形成することが可能となり、よって、略全域において良好な水はけや通気性を発揮する溝３を形成できることとなる。
【００６５】
また、この際、動力によって強制回転する溝切体６は、土壌２上の藁等が巻き付いたりすることによって回転停止することはなく、確実に溝切体６が回転しながら土壌２に良好な溝３の対向左右壁３Ａを切り込み形成することができる。従って、崩れにくいしっかりとした溝３の左右壁３Ａを形成することができる。尚、本溝掘装置において、溝切体６よりも進行方向前側に土壌２上の藁等や溝切体６に絡みついた藁等を進行方向の側方へ排出する適宜な前処理機構などを設けても良く、この前処理機構を併用すると一層溝切が良好に行われ、効果的となる。
【００６６】
また、溝切体６が土壌２に溝３の対向左右壁３Ａを切り込み形成すると同時に、接地部８の基部の溝縁押圧部80Ｂが回転しながら溝３の左右壁３Ａ上端部を押圧規制し、これにより切断されたこの左右壁３Ａの上端部は角縁部とはならず、上側程溝３開口幅が広がる面取部３Ｂが形作られることになる（図８参照）。
【００６７】
従って、このようにして形成された溝３の左右壁３Ａの上端部は、本溝掘装置並びにウエイト15の重量により、回転する溝縁押圧部80Ｂに押し固められて非常に強固な溝壁となり、しかも、この強固な溝壁は、上側程溝３開口幅の広がる面取部３Ｂに押圧規制されるために、仮に時間の経過によって左右壁３Ａが徐々に内側にせり出してきたとしても、溝３（の開口部分）が塞がりにくいことになる。
【００６８】
また、溝３完成後に本溝掘装置を上昇させる際にも、溝３が上側程開口幅の広がる形状であるためにこの溝３から溝切体６が抜け易く、溝３を傷付けずに上昇させることができる。
【００６９】
よって、本実施例によれば、略一定の深さの溝３を形成できると共に、溝３の左右壁も、左右壁３Ａ上端部も崩れにくい非常にしっかりとした溝３を形成することができるので、溝３作りに失敗がなく、溝掘作業の能率が著しく向上することになる。
【００７０】
尚、本発明は、本実施例に限られるものではなく、各構成要件の具体的構成は適宜設計し得るものである。
【図面の簡単な説明】
【００７１】
【図１】本実施例を示す説明斜視図である。
【図２】本実施例の分解斜視図である。
【図３】本実施例の要部を示す部分拡大説明図である。
【図４】本実施例の溝切体の強制回転構造（駆動機構部）を示す部分拡大説明図である。
【図５】本実施例の使用状態を示す説明側面図である。
【図６】本実施例の使用状態を示す説明斜視図である。
【図７】本実施例の接地部が土壌上面へ接地することで、溝切体が位置決めされる様子並びに溝縁押圧部によって溝の左右壁の上端部に面取部が形成される様子を示す部分拡大説明図である。
【図８】溝の完成状態を示す拡大説明図である。
【符号の説明】
【００７２】
１  走行体
２  土壌
３  溝
３Ａ  左右壁
３Ｂ  面取部
４  昇降取付部
５  取付基体
６  溝切体
７  すき体
８  接地部
80  円筒部材
80Ａ  円形状部
80Ｂ  溝縁押圧部
【図１】
2005179967.tif 000003
【図２】
2005179967.tif 000004
【図３】
2005179967.tif 000005
【図４】
2005179967.tif 000006
【図５】
2005179967.tif 000007
【図６】
2005179967.tif 000008
【図７】
2005179967.tif 000009
【図８】
2005179967.tif 000010